(57)【要約】【課題】携帯電話器の音声を拡声して使用できる携帯電話拡声器を提供する。【解決手段】ベース１、２個の拡声スピーカー連接部材２、２個の拡声スピーカー３、２個のスタンド４を備え、ベース１には挿入設置凹部１０を設け、ベース１の両側には、貫通した開口１１を設置し、挿入設置凹部１０底部には開口１１に貫通した通孔１２を設置し、２個の拡声スピーカー連接部材２はベース１の通孔１２の両端内にそれぞれ設置され、２個の拡声スピーカー３はベース１の両側に設置され、２個の拡声スピーカー３の挿入接続端３０は２個の拡声スピーカー連接部材２の開口１１内にそれぞれ挿入して設置され、２個のスタンド４はベース１の両側に設置される。挿入設置凹部１０にセットされた携帯電話器の音声は開口１１から通孔１２を経て両端の拡声スピーカー３から発せられる。【選択図】図１
0003205661.tif 000002
【実用新案登録請求の範囲】
【請求項１】
携帯電話拡声器であって、ベース、２個の拡声スピーカー連接部材、２個の拡声スピーカー、２個のスタンドを備え、
該ベースには、携帯電話器をセットする挿入設置凹部を設け、該ベースの両側には、該挿入設置凹部から貫通した開口を設け、該挿入設置凹部底部には、該開口に貫通した通孔を設け、該通孔の両端内には、定位嵌溝をそれぞれ設置し、該ベースの両側面の底部に近い前方には、少なくとも１個の定位挿入孔をそれぞれ設置し、
前記２個の拡声スピーカー連接部材は、該ベースの通孔の両端内にそれぞれ設置され、該拡声スピーカー連接部材内には、開口を設け、該拡声スピーカー連接部材の外壁面には、凸体を形成し、該凸体は、該ベースの通孔内の定位嵌溝内に設置され、
上記２個の拡声スピーカーは、上記ベースの両側に設置され、該拡声スピーカーの一端には、挿入接続端を形成し、該挿入接続端の端部には、嵌縁を突出状に設置し、該嵌縁は、該拡声スピーカー連接部材の内端縁に嵌めて設置し、該拡声スピーカーの挿入接続端上には、数本のスリットを設置し、該拡声スピーカーの反対端には、拡声孔を形成し、
該２個のスタンドは、該ベースの両側に設置され、該２個のスタンドの相対する内端には、少なくとも１個の挿入接続棒をそれぞれ設置して該挿入接続棒は、該ベース両側面の定位挿入孔内に挿入固定して設置すること
を特徴とする携帯電話拡声器。
【考案の詳細な説明】
【技術分野】
【０００１】
本考案は、携帯電話拡声器に関し、特にベースと拡声スピーカーの組合せを利用し、電源につながなくとも携帯電話の音声を数倍に拡大し、最良の音響効果を達成可能で、しかも携帯電話台としても使用できる携帯電話拡声器に関する。
【背景技術】
【０００２】
携帯電話はすでに現代人にとって欠くべからざるモバイル通信手段の一つとなっている。
携帯電話器の機能はどんなどん拡大し、電話を受ける／掛ける、インターネット接続、音楽鑑賞、写真撮影等ができるようになっている。
一般に携帯電話を使用する際には、携帯電話を耳に寄せて音を受け取り、ほとんどは手で持つ方式で電話を受ける。
【０００３】
しかし、手で持つ方式で電話を受けると、その際に手で行っていた動作に影響を及ぼす。
例えば、運転時には両手でハンドルを操作しながら、電話器を持つ必要もあるため、危険な状況が発生する。
よって、現行法令では運転時には携帯電話器を手で持って電話を掛けたり受けたりしてはならないと規定されている。
或いは仕事の際に両手でタイピングする、または文字を書くなどの場合にも、携帯電話を手で持つのは不便である。
携帯電話器を手で持ち電話を掛けたり受けたりし、或いは音楽を聞くのを回避するため、通常はイヤフォンを用いて聞き、或いは携帯電話器をスピーカーにして聞くことがある。
しかし、イヤフォン使用が長すぎるのは好ましくなく、長期間使用すれば使用者の聴力に影響を与える。
【０００４】
携帯電話器には拡声装置が内蔵されているが、その拡声効果は理想的でなく、雑音と音声がクリアでないという状況が発生しやすい。
携帯電話器をスピーカーフォンにする方式は、携帯電話器を傍らに置いておくため携帯電話台を別に購入しなければならない。
さもなくば、走行時に携帯電話器が滑り、或いは落下し、携帯電話器を遺失する恐れがある。
しかし、従来の携帯電話台は携帯電話器を置くことしかできず、他の機能を備えない。
一方、外付け電源の携帯電話拡声器もあるが、この種の拡声器は電源を使用して、携帯電話拡声の機能を実現するため、エネルギーを浪費しやすく、しかも所在位置に電源供給がなければ使用できないため、不便である。
本考案は、従来の馬蹄型ロックの上記した欠点に鑑みてなされたものである。
【先行技術文献】
【特許文献】
【０００５】
【特許文献１】特許第５８５４４１３号公報
【考案の概要】
【考案が解決しようとする課題】
【０００６】
本考案が解決しようとする課題は、従来の携帯電話器の使用時に存在する欠点を効果的に解決可能な携帯電話拡声器を提供することである。
【課題を解決するための手段】
【０００７】
上記課題を解決するため、本考案は下記の携帯電話拡声器を提供する。
携帯電話拡声器は、ベース、２個の拡声スピーカー連接部材、２個の拡声スピーカー、２個のスタンドを備え、
該ベースには、携帯電話器の挿入設置凹部を設置し、該ベースの両側には、貫通した通孔を設置し、該挿入設置凹部底部には、該通孔に貫通した開口を設置し、該開口の両端内には、定位嵌溝をそれぞれ設置し、該ベースの両側面の底部に近い前方には、少なくとも１個の定位挿入孔をそれぞれ設置し、
該２個の拡声スピーカー連接部材は、該ベースの通孔の両端内にそれぞれ設置され、該拡声スピーカー連接部材内には、開口を設置し、該拡声スピーカー連接部材の外壁面には、凸体を設置し、該凸体は、該ベースの開口内の定位嵌溝内に設置され、
該２個の拡声スピーカーは、該ベースの両側に設置され、該拡声スピーカーの一端には、挿入接続端を形成し、該挿入接続端の端部には、嵌縁を突出状に設置し、該嵌縁は、該拡声スピーカー連接部材の内端縁に嵌めて設置し、該拡声スピーカーの挿入接続端上には、数本のスリットを設置し、該拡声スピーカーの反対端には、拡声孔を形成し、
該２個のスタンドは、該ベースの両側に設置され、該２個のスタンドの相対する内端には、少なくとも１個の挿入接続棒をそれぞれ設置し、該挿入接続棒は、該ベース両側面の定位挿入孔内に挿入して設置し、
本考案の携帯電話拡声器の該ベースは、原木材質で製造し、
本考案の携帯電話拡声器の該拡声スピーカー連接部材の通孔の内壁面には、数個の定位嵌溝を設置し、該拡声スピーカーの挿入接続端上には、少なくとも１個の定位嵌体を設置し、該定位嵌体は、該拡声スピーカー連接部材の通孔内の定位嵌溝内に嵌めて設置され、こうしてベース両側の拡声スピーカーを任意の角度に回して調整し定位し、
本考案の携帯電話拡声器の該２個のスタンドは、牛角形を呈する。
【考案の効果】
【０００８】
本考案の携帯電話拡声器は、以下の長所を有する。
1.    一切の電源を外付けしなくとも携帯電話器の音声を便利に拡声使用できる。
2.    ベースは原木材質により製造するため、デジタル音質を還元でき、雑音を取り除いて、音声をより飽和させられる。
3.    両側の拡声スピーカーは、携帯電話器のデジタル単音を立体ダブル音声に変えられるため、最良の音響効果を実現できる。
4.    両側の拡声スピーカーは違った拡声方向に同時に調整でき、音響を自由にコントロールし、音声を数倍に拡大できる。
5.    携帯電話器を便利に設置でき、携帯電話台として使用でき、しかも装飾効果を備える。
【図面の簡単な説明】
【０００９】
【図１】本考案実施形態の立体分解図である。
【図２】本考案実施形態の立体組合せ図である。
【図３】本考案実施形態の部分組合せ断面図である。
【図４】本考案実施形態の側視部分断面模式図である。
【図５】本考案実施形態の組合せ断面使用模式図である。
【図６】本考案実施形態の立体使用模式図である。
【考案を実施するための形態】
【００１０】
以下に図面を参照しながら本考案を実施するための最良の形態について詳細に説明する。
【実施例】
【００１１】
本考案の実施形態は図１に示すように、ベース１、２個の拡声スピーカー連接部材２、２個の拡声スピーカー３、２個のスタンド４を備える。
【００１２】
該ベース１は、原木材質で製造し、該ベース１の頂面には、携帯電話器の挿入設置凹部１０を設置し、該ベース１の両側に貫通した通孔１２を設置する。
【００１３】
該挿入設置凹部１０の底部には、該通孔１２に貫通した開口１１を設け、該通孔１２の両端内には、定位嵌溝１３をそれぞれ設置し、該ベース１の両側面の底部に近い前方には、２個の定位挿入孔１４をそれぞれ設置する。
【００１４】
該２個の拡声スピーカー連接部材２は、該ベース１の通孔１２の両端内にそれぞれ緊密に嵌合して設置し、該拡声スピーカー連接部材２内には、開口２０を設置する。
【００１５】
該拡声スピーカー連接部材２の開口２０の内壁面には、数個の定位嵌溝２１を環状に設置し、該拡声スピーカー連接部材２の外壁面には、凸体２２を設置し、該凸体２２は、該ベース１の通孔１２内の定位嵌溝１３内に設置される。
【００１６】
該２個の拡声スピーカー３は、該ベース１の両側に設置され、該拡声スピーカー３は、上向き弧状を呈し、ラッパ状を呈する。
【００１７】
該拡声スピーカー３の一端には、挿入接続端３０を形成し、該挿入接続端３０の端部には、嵌縁３１を突出状に設置し、該嵌縁３１は、該拡声スピーカー連接部材２の内端縁に嵌めて設置する。
【００１８】
該拡声スピーカー３の挿入接続端３０には、少なくとも１個の定位嵌体３２を設置し、該定位嵌体３２は、該拡声スピーカー連接部材２の開口２０内の定位嵌溝２１内に嵌めて設置する。
【００１９】
該拡声スピーカー３の挿入接続端３０には、数本のスリット３３を設置し、該拡声スピーカー３の反対端には、拡声孔３４を形成する。
【００２０】
該２個のスタンド４は、該ベース１の両側に設置され、該２個のスタンド４は、牛角形を呈する。
【００２１】
該２個のスタンド４の相対する内端には、２個の挿入接続棒４０をそれぞれ設置し、該挿入接続棒４０は、該ベース１の定位挿入孔１４内に挿入して設置し、こうして携帯電話拡声器の構造を構成する。
【００２２】
組み立て時には、図１〜４に示すように、２個の拡声スピーカー連接部材２をそれぞれ該ベース１の通孔１２の両端内に緊密に挿入設置する。
【００２３】
該２個の拡声スピーカー連接部材２の凸体２２は、該ベース１の通孔１２両端の定位嵌溝１３内にそれぞれ嵌めて設置し、これにより２個の拡声スピーカー連接部材２は、該通孔１２の両端内にそれぞれ固定される。
【００２４】
さらに、２個の拡声スピーカー３は、ベース１の両側にそれぞれ組み合わせられ、これにより２個の拡声スピーカー３の挿入接続端３０は、該２個の拡声スピーカー連接部材２の開口２０内に挿入して設置される。
【００２５】
該挿入接続端３０上に設置されるスリット３３により、該挿入接続端３０は、弾性收縮構造であって、拡声スピーカー連接部材２の開口２０内に設置されると、開口２０壁面の圧迫を受け、弾性圧縮状態を呈する。
【００２６】
開口２０を通過すると、弾性回復を呈し、該２個の拡声スピーカー３の挿入接続端３０の嵌縁３１は、拡声スピーカー連接部材２の内端縁に嵌めて設置され（図３参照）、拡声スピーカー３をベース１の両側に定位する。
【００２７】
該挿入接続端３０上の定位嵌体３２は、該拡声スピーカー連接部材２の開口２０内壁面の定位嵌溝２１内に嵌めて設置され、これにより該拡声スピーカー３は、いろいろな角度に回転定位する（図４参照）。
【００２８】
さらに、２個のスタンド４の挿入接続棒４０を、ベース１両側面の定位挿入孔１４内に挿入して設置し、２個のスタンド４を、ベース１の両側に固定して、該２個のスタンド４は、該ベース１底部の前端を上方へと支える。
【００２９】
これにより、該ベース１の底面と設置しようとする平面Ａとは、傾斜角度を呈し、該ベース１の底面は、設置しようとする平面Ａ上には完全に密着せずに支持され、こうして全体の組み立てを完成する。
【００３０】
使用時には、図２〜６に示すように、携帯電話器６をベース１上の挿入設置凹部１０内に設置し、拡声スピーカー３を拡声が必要な角度へと回して調整し、携帯電話６底部のスピーカーにより、携帯電話６の音声を伝送する。
【００３１】
携帯電話器６の音声は、ベース１の挿入設置凹部１０底部の開口１１よりベース１の通孔１２内に導引され、さらにベース１の開口１１により、両側の拡声スピーカー３へと伝えられ、さらに拡声スピーカー３の拡声孔３４により音声を拡声させ伝送する。
【００３２】
こうして、一切の電源を外付けしなくとも、携帯電話器６の音声を便利に拡声して使用でき、携帯電話器６の拡声の機能を達成でき、電源供給の制限を受けることなく、あらゆる場所に置いて使用でき、省エネの環境保護機能を達成できる。
【００３３】
しかも、２個の拡声スピーカー３の挿入接続端３０上に設置される定位嵌体３２を、２個の拡声スピーカー連接部材２の定位嵌溝２１内にそれぞれ嵌めて定位するため、該ベース１両側の拡声スピーカー３を回転させて、必要な任意の角度に調整できる（図４、６参照）。
【００３４】
よって、両側の拡声スピーカー３を違った拡声方向に同時に調整でき（図６参照）るため、最良の音響効果を実現できる。
【００３５】
本考案は、ベース１両側に設置されるスタンド４により、ベース１の底部前端を上向きに支え、該ベース１の底面と設置しようとする平面Ａは傾斜角度を呈するため、該ベース１底面は設置しようとする平面Ａ上に密着しないため、本考案を拡声使用する際には、振動を抑制する効果を備える。
【００３６】
携帯電話器が拡声機能を使用しない時には、携帯電話器を本考案のベース１上に挿入して設置し、携帯電話台として使用でき、携帯電話器の設置に便利で、これにより携帯電話器の遺失を回避し、また設置装飾の効果をも備える。
【００３７】
上記の本考案名称と内容は、本考案技術内容の説明に用いたのみで、本考案を限定するものではない。本考案の精神に基づく等価応用或いはいは部品（構造）の転換、置換、数量の増減はすべて、本考案の保護範囲に含むものとする。
【産業上の利用可能性】
【００３８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３９】
１  ベース
１０  挿入設置凹部
１１  開口
１２  通孔
１３  定位嵌溝
１４  定位挿入孔
２  拡声スピーカー連接部材
２０  開口
２１  定位嵌溝
２２  凸体
３  拡声スピーカー
３０  挿入接続端
３１  嵌縁
３２  定位嵌体
３３  スリット
３４  拡声孔
４  スタンド
４０  挿入接続棒
６  携帯電話
Ａ  平面
【図１】
0003205661.tif 000003
【図２】
0003205661.tif 000004
【図３】
0003205661.tif 000005
【図４】
0003205661.tif 000006
【図５】
0003205661.tif 000007
【図６】
0003205661.tif 000008